(57)【特許請求の範囲】
【請求項１】
引戸を開方向へ手で引いて開位置へ摺動させて後、閉時に開位置から前記引戸をワイヤーで引っ張り、全閉位置へ摺動させて自動的に閉止する引戸自閉装置において、
前記ワイヤーを巻装して回転自在に軸支した巻取手段と、該巻取手段を常時前記ワイヤーの巻取方向へ回転付勢する付勢手段と、前記引戸を自閉させるときに前記巻取手段の回転速度を減速して前記引戸に制動力を付与する制動手段とを、ユニット取付手段に組み付けて重りユニットを形成し、
前記引戸又は該引戸の支持体に、上端面から下向きに前記重りユニットを案内するガイド穴を穿設する一方、
前記重りユニットは、
それに働く重力を前記付勢手段の前記ワイヤーを巻き取る回転付勢力より小さく設定する一方、該ワイヤーを前記巻取手段から引き出し、ワイヤー先端を前記引戸又は前記支持体に係止して前記ガイド穴内に昇降可能に吊り下げ状態で収納し、閉時に、前記巻取手段から引き出される前記ワイヤーに弛みが発生すると、弛みの長さ分だけ前記ガイド穴の深さ方向に下降して弛みを除去してなることを特徴とする、引戸自閉装置。
【請求項２】
前記ワイヤーに弛みを発生すると前記重りユニットが昇降するときに、該重りユニットの昇降動作を案内する重りガイド部材を前記ガイド穴に挿設し、前記重りユニットを前記重りガイド部材に係合させて上下にスライド自在に装着してなることを特徴とする、請求項１に記載の引戸自閉装置。
【発明の詳細な説明】
【技術分野】
【０００１】
本発明は、開時に引戸を開方向へ手で引いて開位置へ摺動させて後、閉時に開位置から引戸をワイヤーで引っ張って全閉位置へ自動的に摺動させて閉止する引戸自閉装置に関する。
【背景技術】
【０００２】
従来、この種の引戸自閉装置は、ワイヤーを外周のプーリ部に巻装したワイヤーリールを枢軸で回転自在に軸支し、ワイヤーリールには、プーリ部に内装した渦巻バネ（ゼンマイ）の一端を枢軸に、他端をプーリ部に掛け止めてワイヤーを常時巻き取る方向へ回転させる付勢力を付与すると共に、枢軸の一端に駆動回転ギヤを連結する一方、駆動回転ギヤに、ロータリーダンパの従動回転ギヤを噛み合わせて装置本体を構成し、装置本体を、例えば引戸を吊り込む戸枠等の支持体に組み付ける一方、ワイヤーをワイヤーリールから引き出して先端を引戸側に掛け止めた構造になっている。
【０００３】
そこで、従来の引戸自閉装置では、開時に、引戸を開方向へ手で引くと、渦巻バネに抗してワイヤーが繰り出され、引戸は開位置へ摺動する一方、閉時に、開く途中で手を離すと、渦巻バネの回転付勢力でワイヤーを巻き取り、開位置から引戸を閉方向へ引っ張って全閉位置へ自動的に摺動させて閉止する。また、この引戸の自閉時には、ワイヤーを巻き取る方向の回転が駆動回転ギヤと従動回転ギヤの噛み合いを介してロータリーダンパ内のロータに伝達されると、ロータリーダンパに制動トルクを発生し、ワイヤーリールがブレーキの利いた負荷状態で回転し、それに従って、引戸は減速しながら、ゆっくり自閉するようになっている。
【特許文献１】特開２０００−１３０００４号公報
【発明の開示】
【発明が解決しようとする課題】
【０００４】
ところが、従来の引戸自閉装置では、引戸の自閉時に、仮に引戸が渦巻バネの回転付勢力およびロータリーダンパに制動力に打ち勝つほどの強い力で閉方向へ強引に引かれると、この引戸の動きに追従してワイヤーを巻き取ることができず、ワイヤーの引き出し側に弛みを生じてしまうことがある。すると、このワイヤーの弛みを悪用して悪戯するなど、ワイヤーの弛みが原因で様々な不都合な事態が発生するという課題があった。
【０００５】
そこで、本発明の目的は、引戸をワイヤーで引っ張って自閉する引戸自閉装置において、ワイヤーに弛みが発生すると、その弛みを即座に且つ確実に除去することにある。
【課題を解決するための手段】
【０００６】
上記した発明の目的を達成すべく、請求項１に記載の発明は、たとえば以下に示す図示実施の形態のとおり、引戸Ｄを開方向へ手で引いて開位置へ摺動させて後、閉時は開位置から前記引戸Ｄをワイヤー１９で引っ張り、全閉位置へ摺動させて自動的に閉止する引戸自閉装置Ａにおいて、前記ワイヤー１９を巻装して回転自在に軸支したワイヤーリール３０のような巻取手段と、該巻取手段を常時前記ワイヤー１９の巻取方向へ回転付勢する渦巻バネ２５のような付勢手段と、前記引戸Ｄを自閉させるときに前記巻取手段の回転速度を減速して前記引戸Ｄに制動力を付与するロータリーダンパ４５のような制動手段とを、ゼンマイケース２５のようなユニット取付手段に一体的に組み付けて重りユニットＷを形成し、前記引戸Ｄ又は該引戸Ｄの支持体に、上端面１１から下向きに開けて前記重りユニットＷを案内するガイド穴６０を穿設する一方、前記重りユニットＷは、それに働く重力を前記付勢手段の前記ワイヤー１９を巻き取る回転付勢力より小さく設定する一方、該ワイヤー１９を前記巻取手段から引き出し、ワイヤー先端１９ａを前記引戸Ｄ又は前記支持体に係止して前記ガイド穴６０内に昇降可能に吊り下げ状態で収納し、閉時に、前記巻取手段から引き出される前記ワイヤー１９に弛みが発生すると、弛みの長さ分だけ前記ガイド穴６０の深さ方向に下降して弛みを除去してなることを特徴とする。
【０００７】
請求項２に記載の発明は、請求項１に記載の引戸自閉装置Ａにおいて、たとえば以下に示す図示実施の形態のとおり、前記ワイヤー１９に弛みを発生すると前記重りユニットＷが昇降するときに、該重りユニットＷの昇降動作を案内する重りガイド部材Ｇを前記ガイド穴６０に挿設し、前記重りユニットＷを前記重りガイド部材Ｇに係合させて上下にスライド自在に装着してなることを特徴とする。
【発明の効果】
【０００８】
請求項１に記載の発明によれば、引戸の自閉時、仮に、引戸が付勢手段の回転付勢力および制動手段の制動力に抗して強い力で閉方向へ強引に引かれると、この引戸の急激な動きに追従してワイヤーを巻き取ることができず、ワイヤーの引き出し側に弛みを生じるが、そのとき、重りユニットは、いま発生したワイヤーの弛みの長さ分だけガイド穴の深さ方向へ下降し、即座にワイヤーを元の引っ張り状態に戻して弛みを確実に除去することができる。その結果、ワイヤーの弛みを悪用して悪戯するなど、ワイヤーの弛みが原因で様々な不都合な事態が発生するのを未然に防止することができる。
【０００９】
請求項２に記載の発明によれば、ワイヤーに弛みを発生すると、ワイヤーの弛みの長さに応じて、重りユニットが昇降するとき、重りユニットを、重りガイド部材の案内で上下にスライドさせ、これにより、重りユニットをガタ付かせることなくスムーズに昇降させることができる。
【発明を実施するための最良の形態】
【００１０】
以下、図面を参照しつつ、本発明の実施の最良形態について説明する。
【００１１】
図１は、本発明の一例である引戸自閉装置を付設した引戸構造体を示す組立斜視図、図２は引戸構造体の分解斜視図、図３は引戸構造体の縦断面図である。
【００１２】
図示例の引戸構造体は、既設の袖パネルＰと、引戸Ｄと、後述の戸車１４ａ・１５ａを係合させて引戸Ｄを開閉方向に案内する戸車レールＬとを備える。袖パネルＰは、開口部Ｓを間にあけて左右面一に既設された、引戸Ｄの支持体となる壁状パネルで、図１では片側の戸袋壁に相当する袖パネルは図示省略している。左右袖パネル上には、断面コ形の笠木１０を渡して固着し（図３参照）、笠木１０で両袖パネルを面一状態に連結している。
【００１３】
図示引戸Ｄは木製で、大小開口面積の異なる一般の開口部を開閉できるように比較的大きな矩形パネル状をなし、開口部Ｓの奥行方向片側に重ねて外付けする、付替用のアウトセット引戸である。引戸Ｄには、上端面１１の戸先寄りと戸尻寄りに細長い取付凹部１２・１３を凹設し、取付凹部１２・１３内に、それぞれ戸車１４ａ・１５ａを縦向きに軸支してなる戸車ユニット１４・１５を、溝形ブラケット１４ｂ・１５ｂを介して嵌め込んで固着している。戸車レールＬは、袖パネルＰと共に引戸Ｄの支持体となる金属製レールで、戸車１４ａ・１５ａを係合させる平行なガイドリブ１６ａを凸設したガイドレール部１６と、袖パネル上に固定した笠木１０に取り付ける鍔状の笠木取付部１７とを一体に成形してある。
【００１４】
そこで、図示例の引戸構造体では、例えば既設の開き戸を取り外してから、笠木１０に笠木取付部１７をねじ止めし、ガイドレール部１６を開口部Ｓの奥行方向片側へ張り出させた状態で、戸車レールＬを笠木１０上に固定する。それから、ガイドレール部１６のガイドリブ１６ａ・１６ａ間に戸車１４ａ・１５ａを係合させて、引戸Ｄを戸車レールＬに開閉方向へ摺動自在に吊り込み、これによって、袖パネル間に、回転開閉式の開き戸に代え、スライド開閉式の引戸Ｄを、開口部Ｓの奥行方向片側に重ねて付け替えるアウトセット構造になっている。
【００１５】
さて、かかる引戸構造体では、不図示の取手を持って、引戸Ｄを開方向へ引いて開位置へ摺動させて後、取手から手を離すと、本発明の引戸自閉装置Ａが作動し、引戸Ｄを全閉位置へ摺動させて自動的に閉止するようになっている。
【００１６】
そのため、図示例において、引戸自閉装置Ａは、ワイヤー１９の弛みを取る重りユニットＷと、重りユニットＷの弛み取り動作を案内する重りガイド部材Ｇとを備えた構成になっている。ワイヤー１９は、図示例では鋼製とするが、それに限らず、材質上は樹脂製のものや、繊維製のものや、皮革製のものなどを含み、形状上はロープ状のものや、糸状のものなど、各種の長尺な屈撓媒介部材を含むものとする。
【００１７】
重りユニットＷは、図４でも示すように、ユニット取付手段のゼンマイケース２５と、ワイヤー１９を巻装する巻取手段のワイヤーリール３０と、ワイヤーリール３０を回転付勢する付勢手段の渦巻バネ（ゼンマイ）３５と、駆動回転ギヤ４０と、ワイヤーリール３０の回転速度を減速する制動手段のロータリーダンパ４５とを備える。
【００１８】
ゼンマイケース２５は、図１〜図４に示すように、扁平な略矩形状の収納ケース部２５ａと、収納ケース部２５ａの一端から延びる取付板部２５ｂと、他端の片側寄りから突出する滑車支持板部２５ｃを有してなる。収納ケース部２５ａには、左右の側板面に長さ方向に沿って細長いガイド溝２５ｄを設けてなる。滑車支持板部２５ｃは、滑車２６を間に挟んで回転自在に枢支している。
【００１９】
ワイヤーリール３０は、リング状プーリ部の外周にワイヤー１９を巻装する一方、プーリ部内に渦巻バネ３５を内装してなり、中心の同じ枢軸５０で駆動回転ギヤ４０を回転自在に軸支して収納ケース部２５ａ内に収納してなる。そして、ワイヤー１９の先端側をプーリ部から繰り出し、更に滑車２６に巻き回して外部に引き出している。
【００２０】
渦巻バネ３５は、ばね一端を枢軸５０に、他端をワイヤーリール３０に掛け止め、ワイヤーリール３０および駆動回転ギヤ４０にワイヤー１９を常時巻き取る方向へ回転する付勢力を付与している。駆動回転ギヤ４０は、収納ケース部２５ａの取付板部２５ｂ側において、一端面に開けた開口から外周の歯部を外部へ臨ませた状態で、枢軸５０で軸支してなる。
【００２１】
ロータリーダンパ４５は、外周面に一対の取付突片４６ａを有した胴筒４６と、胴筒４６から先端軸部４７ａが突出したロータ軸４７を中心に回転自在に胴筒４７内に収納したロータ（図示省略）とを備え、ロータ外周と胴筒４６内周との間の隙間に、オイル等の粘性流体を充填して胴筒４６内に密封し、ロータが回転すると粘性流体の粘性抵抗により制動トルクが発生する構造になっている。また、ロータリーダンパ４５は、ロータ軸４７の先端軸部４７ａに、従動回転ギヤ５５を、ワンウェイクラッチを介してロータと一体回転可能に連結し、従動回転ギヤ５５がワイヤー巻取の一方向に回転したときに制動トルクが発生する構造になっている。そこで、ロータリーダンパ４５を、従動回転ギヤ５５を駆動回転ギヤ４０に噛み合わせた状態で、取付突片４６ａを取付板部２５ｂにねじ止めし、ゼンマイケース２５に組み付けて重りユニットＷとしてユニット化してなる。そして、重りユニットＷは、重量を調整し、重りユニットＷに働く重力が渦巻バネ３５のワイヤー１９を巻き取る回転付勢力より小さくなるように設定してある。
【００２２】
重りガイド部材Ｇは、重りユニットＷの外形状に合わせて、金属板を折り曲げて図中前面側を開放し、上面側に開口２１を開けた全体に細長い扁平箱形に形成する。そして、両側板面には、側縁部に、ゼンマイケース２５の左右ガイド溝２５ｄに対応させて、直角に曲げて互いに向き合う鍔状のガイド板片２０ａを形成し、両側板面の上縁部に、互いに外向きに曲げ開いて取付板片２０ｂを形成すると共に、開口２１の内縁に、図示しない抜止め部を内向きに凸設してなる。そこで、滑車２６を開口２１側に向けた状態で、ガイド板片２０ａをゼンマイケース２５のガイド溝２５ｄに係合させて、重りガイド部材Ｇに対し重りユニットＷをスライド自在に装着して引戸自閉装置Ａを組み立ててなる。
【００２３】
また、引戸自閉装置Ａにおいて、引戸Ｄには、上端面１１の取付凹部１２・１３間に、下向きに重りユニットＷを案内するガイド穴６０を穿設し、重りガイド部材２０の外形状に合わせて、細長く扁平な中空部を形成する。そこで、引戸自閉装置Ａは、戸車レールＬに引戸Ｄを吊り込んだ状態において、ガイド穴６０内に挿入し、重りガイド部材Ｇの取付板片２０ｂを上端面１１にねじ止めして引戸Ｄに組み込む一方、ワイヤー１９は、先端１９ａを渦巻バネ３５に抗して引っ張って、戸先側の戸車１４ａ上に乗せた状態で戸車レールＬのガイドレール部１６内を通して引き出し、支持体側の、例えば戸車レールＬに掛け止めて、重りユニットＷを重りガイド部材Ｇの案内で昇降可能にガイド穴６０内に吊り下げ状態で収納する。すると、引戸自閉装置Ａは、ワイヤー１９を、渦巻バネ３５の回転付勢力に基づいて、ワイヤーリール３０のプーリ部に巻き取り、この巻取動作に従い引戸Ｄを閉方向に引っ張って摺動し、全閉位置で不図示の戸当りに当てて止め、これによって全閉状態で引戸構造体に組み付けなる。そのとき、引戸自閉装置Ａは、渦巻バネ３５のワイヤー巻取方向への回転付勢力に基づいて、重りユニットＷを重りガイド部材Ｇの案内で引っ張り上げ、ゼンマイケース２０において抜止め部に当てて止め、重りユニットＷを、図１に示すように、滑車２６が開口２１から戸車レールＬのガイドレール部１６内に入り込んだ状態の制動高さ位置に位置決め保持してなる。
【００２４】
従って、引戸自閉装置Ａは、開時、全閉状態の引戸Ｄを不図示の取手を持って開方向へ引くと、それに従って、ワイヤー１９が重りユニットＷの渦巻バネ３５に抗してワイヤーリール３０から繰り出され、引戸Ｄは開位置へ摺動する。一方、閉時は、開く途中で手を離すと、渦巻バネ３５の回転付勢力が働いて、ワイヤー１９はワイヤーリール３０に巻き取られ、その巻取動作に従い、引戸Ｄを開位置から閉方向へ引っ張って全閉位置へ摺動させて自動的に閉止する。また、引戸Ｄの自閉時、ワイヤー１９を巻き取る方向の回転が駆動回転ギヤ４０と従動回転ギヤ５０の噛み合いを介してロータリーダンパ４５内のロータに伝達されると、ロータリーダンパ４５に制動トルクが発生し、ワイヤーリール３０がブレーキの利いた負荷状態で回転し、それに従って、引戸Ｄは減速しながら、ゆっくり自閉する。
【００２５】
ところで、図示引戸自閉装置は、引戸Ｄの自閉時、仮に、引戸Ｄが渦巻バネ３５の回転付勢力およびロータリーダンパ４５の制動力に抗して強い力で閉方向へ強引に引かれると、この引戸Ｄの急激な動きに追従してワイヤー１９を巻き取ることができず、ワイヤー１９の引き出し側に弛みを生じるが、そのとき、重りユニットＷは、いま発生したワイヤー１９の弛みの長さ分だけ重りガイド部材Ｇの案内でガイド穴６０の深さ方向へ下降し、即座にワイヤー１９を元の引っ張り状態に戻して弛みを除去する。従って、引戸自閉装置は、ワイヤー１９に弛みがなくなると、次いで、渦巻バネ３５の回転付勢力でワイヤー１９をワイヤーリール３０に再び巻き取り始め、そのワイヤー巻取長さに応じて、重りユニットＷを重りガイド部材Ｇの案内で引っ張り上げ、ゼンマイケース２０を抜止め部に当てて元の制動高さ位置に止めて保持し、更に引き続きワイヤー１９を巻き取って引戸Ｄを閉方向へ引っ張りながら、ゆっくり全閉位置へ摺動させて正常に自閉させる。
【００２６】
図示引戸自閉装置は、上述のようにワイヤー１９に弛みを発生すると、ワイヤー１９の弛みの長さに応じて、重りユニットＷが昇降するとき、ゼンマイケース２５のガイド溝２５ｄにガイド板片２０ａを係合させながら、重りユニットＷを、重りガイド部材Ｇの案内で上下にスライドさせ、これにより、重りユニットＷをガタ付かせることなくスムーズに昇降させることができる。
【００２７】
なお、以上の図示実施の形態では、重りユニットＷを引戸Ｄ側に設置し、引き出したワイヤー１９の先端１９ａは支持体側の戸車ユニットＬに係止させて引戸自閉装置を構成したが、反対に、重りユニットを袖パネルや戸枠等の支持体側に設置し、引き出したワイヤーの先端を引戸側に係止させて、同様に引戸自閉装置を構成することもできる。
【図面の簡単な説明】
【００２８】
【図１】本発明の一例である引戸自閉装置を付設した引戸構造体を示す組立斜視図である。
【図２】引戸構造体の分解斜視図である。
【図３】引戸構造体の縦断面図である。
【図４】引戸自閉装置の構造を示す正面図である。
【図５】引戸自閉装置の重りユニットが下降してワイヤーの弛みを取る状態において、引戸構造体を示す斜視図である。
【符号の説明】
【００２９】
Ａ              引戸自閉装置
Ｄ              引戸
Ｃ              引戸自閉装置
Ｇ              重りガイド部材
Ｌ              戸車レール（支持体）
Ｐ              袖パネル（支持体）
Ｗ              重りユニット
１０            笠木
１４ａ・１５ａ  戸車
１９            ワイヤー
２５            ゼンマイケース（ユニット取付手段）
３０            ワイヤーリール（巻取手段）
３５            渦巻バネ（付勢手段）
４０            駆動回転ギヤ
４５            ロータリーダンパ（制動手段）
５５            従動回転ギヤ
６０            ガイド穴
【図１】
0004519160.tif 000002
【図２】
0004519160.tif 000003
【図３】
0004519160.tif 000004
【図４】
0004519160.tif 000005
【図５】
0004519160.tif 000006